(57)【特許請求の範囲】
【請求項１】
設置面に、国際電気標準会議（ＩＥＣ）規格のＧＸ５３形式口金電極を有する蛍光ランプを接続する際に使用するアダプタであって、
前記蛍光ランプの前記ＧＸ５３形式口金電極と電気的に接続する接続金具を有するランプ取付け部と、
前記ランプ取付け部と前記設置面との間を離隔するスペース部と、
前記ランプ取付け部と前記スペース部との間を区切る隔壁と、を備え、
前記スペース部に、電気配線を配置する配線溝を有し、該配線溝は、第１の配線孔と、第２の配線孔と、を有し、
前記電気配線は、前記第１の配線孔を通過して前記接続金具と電気的に接続する、
ことを特徴とするＧＸ５３ソケット対応ランプ用アダプタ。
【請求項２】
前記配線溝は、前記設置面と平行に形成されている、
ことを特徴とする請求項１に記載のＧＸ５３ソケット対応ランプ用アダプタ。
【請求項３】
前記ランプ取付け部は、前記蛍光ランプの電極部を挿入して回転係止することにより、前記蛍光ランプを取付けることができる、一対の係合孔部を有する、
ことを特徴とする請求項１又は２に記載のＧＸ５３ソケット対応ランプ用アダプタ。
【請求項４】
前記蛍光ランプの側面を覆うカバーを取付けるカバー取付け部を有する、
ことを特徴とする請求項１乃至３の何れか１項に記載のＧＸ５３ソケット対応ランプ用アダプタ。
【請求項５】
前記設置面は、天井面、壁面、若しくは、床面のいずれかである、
ことを特徴とする請求項１乃至４の何れか１項に記載のＧＸ５３ソケット対応ランプ用アダプタ。
【請求項６】
前記スペース部の垂直方向の長さは、６ｍｍ以上８ｍｍ以下である、
ことを特徴とする請求項１乃至５の何れか１項に記載のＧＸ５３ソケット対応ランプ用アダプタ。
【発明の詳細な説明】
【技術分野】
【０００１】
本発明は、照明器具用のアダプタに関し、より詳しくはＩＥＣ（国際電気標準会議）で規格化されたＧＸ５３形式口金電極を用いた蛍光ランプを設置面に直付けで設置する際に、蛍光ランプと設置面との間に介在させて使用するＧＸ５３ソケット対応ランプ用アダプタに関するものである。
【背景技術】
【０００２】
物理上設置が困難とされる狭い空間等にて、灯りをとるための薄型の照明器具として、インバータを内蔵させた薄型の蛍光ランプがある。
【０００３】
このような薄型の蛍光ランプとして、ＩＥＣ規格のＧＸ５３形式口金電極を使用するものがあり、特許文献１にはそのような蛍光ランプを設置面に取り付ける際に使用されるソケット装置が記載されている。
【０００４】
しかし、この文献に開示されたソケット装置では、蛍光ランプの熱が設置面に伝わることで、設置面が変色することがある。
【特許文献１】特開２００７−００５１９３号公報
【発明の開示】
【発明が解決しようとする課題】
【０００５】
本発明は上述の問題に鑑みてなされたものであり、設置面の変色が起こりにくいＧＸ５３ソケット対応ランプ用アダプタを提供することを目的とする。また、適切に使用できるＧＸ５３ソケット対応ランプ用アダプタを提供することを目的とする。
【課題を解決するための手段】
【０００６】
上記目的を達成するため、この発明のＧＸ５３ソケット対応ランプ用アダプタは、
設置面に、国際電気標準会議（ＩＥＣ）規格のＧＸ５３形式口金電極を有する蛍光ランプを接続する際に使用するアダプタであって、
前記蛍光ランプの前記ＧＸ５３形式口金電極と電気的に接続する接続金具を有するランプ取付け部と、
前記ランプ取付け部と前記設置面との間を離隔するスペース部と、
前記ランプ取付け部と前記スペース部との間を区切る隔壁と、を備え、
前記スペース部に、電気配線を配置する配線溝を有し、該配線溝は、第１の配線孔と、第２の配線孔と、を有し、
前記電気配線は、前記第１の配線孔を通過して前記接続金具と電気的に接続する、ことを特徴とする。
【発明の効果】
【０００７】
本発明に係るＧＸ５３ソケット対応ランプ用アダプタを用いて、蛍光ランプを設置面に設置した場合、設置面の変色が起こりにくい。
【発明を実施するための最良の形態】
【０００８】
（実施形態１）
図１に示すように、本実施形態に係るＧＸ５３ソケット対応ランプ用アダプタ９００は、蛍光ランプ１１０を、設置面２３０に直付けする際に使用される。蛍光ランプ１１０は、ＧＸ５３形式口金電極を有する。
【０００９】
設置面２３０には、電源供給用の電気配線２２０が配置される。電気配線２２０は配線孔２９０を通過してＧＸ５３ソケット対応ランプ用アダプタ９００へ伸びる。
【００１０】
ＧＸ５３ソケット対応ランプ用アダプタ９００は、蛍光ランプ１１０が取り付けられるランプ取付け部７００と、スペース部８００と、を有する。
【００１１】
スペース部８００は、ランプ取付け部７００と設置面２３０との間を、スペース部８００の高さｄだけ離隔する。
【００１２】
ランプ取付け部７００には、達磨孔形状の一対の係合孔部１７０と、接続金具２８０とが形成されている。接続金具２８０には、配線孔２９０を通過した電気配線２２０が電気的に接続される。
【００１３】
蛍光ランプ１１０には、ピン電極としての電極部１８０が設けられている。ピン電極１８０は、係合孔部１７０に挿入され、回転係止される。これにより、蛍光ランプ１１０は、ＧＸ５３ソケット対応ランプ用アダプタ９００に取り付けられるとともに、電極部１８０は接続金具２８０と電気的に接続する。
【００１４】
スペース部８００は、ランプ取付け部７００と設置面２３０との間を高さｄだけ離隔するから、蛍光ランプ１１０の蛍光管等が発熱したとしても、その熱が設置面２３０に届きにくく、設置面２３０の変色が起こりにくい。
【００１５】
（実施形態２）
図２に示すように、本実施形態に係るＧＸ５３ソケット対応ランプ用アダプタ９００は、円盤形状のアダプタ本体９１０と、アダプタ本体９１０の下面に嵌め込まれるアダプタ蓋体９２０とを有する。
【００１６】
蛍光ランプ１１０は、ランプ部１３０と、ＧＸ５３ソケット部１２０と、凸部１４０と、を有する。
【００１７】
ランプ部１３０は、内部に蛍光管を有し、蛍光管の取付け部分にインバータが内蔵され、その先に口金が設けられる。
【００１８】
凸部１４０には、例えば点灯回路等が収納される。
【００１９】
ＧＸ５３ソケット対応ランプ用アダプタ９００は、ネジ１９０にて、設置面２３０に固定される。ネジ１９０は、ネジ入口孔３１０とネジ出口孔３２０とを貫通する。
【００２０】
ランプ取付け部７００は、中央下部に凹部１５０を有する。凹部１５０は、蛍光ランプ１１０の凸部１４０が入る大きさである。
【００２１】
図３に示されるように、ＧＸ５３ソケット対応ランプ用アダプタ９００の上面には、４箇所のネジ出口孔３２０が形成されている。なお、ＧＸ５３ソケット対応ランプ用アダプタ９００の上面（上側面）とは、ＧＸ５３ソケット対応ランプ用アダプタ９００の設置面２３０側の面である。そして、ＧＸ５３ソケット対応ランプ用アダプタ９００の下面（下側面）とは、ＧＸ５３ソケット対応ランプ用アダプタ９００の設置面２３０との反対側の面である。
【００２２】
設置面２３０としては、例えば天井面がある。
【００２３】
また、引掛け爪部１７５についても４箇所設けられている。この引掛け爪部１７５は、後述するように、アダプタ蓋体９２０をアダプタ本体９１０の下面に嵌め込んで固定する際に使用する。
【００２４】
スペース部８００には、電源供給用の電気配線２２０を配置する配線溝４００が形成される。スペース部８００は、ランプ部１３０内の蛍光管の熱等を設置面２３０に届きにくくするのみならず、スペース部８００の空間を利用し、配線溝４００を形成することもできる。
【００２５】
図３の４−４断面図である図４に示されるように、配線溝４００は設置面２３０と平行に形成される。換言すれば、配線溝４００は、円盤形状のアダプタ本体９１０に平行に形成される。そのため、その配線溝４００内に適切に配線をすることができる。なお、図４では、アダプタ本体９１０のみを示し、アダプタ蓋体９２０は図示していない。
【００２６】
スペース部８００の厚みｄ（垂直方向の長さｄ）は、６ｍｍ以上８ｍｍ以下とすることができる。厚みｄが６ｍｍよりも小さいと、蛍光管等の熱により設置面２３０の変色が生じるおそれがありうるからであり、一方、厚みｄが８ｍｍよりも大きいと、薄型構造を阻害するおそれがありうるからである。
【００２７】
図３に示されるように、配線溝４００には、第１の配線孔２４０と第２の配線孔２５０とが設けられている。電気配線２２０は、第１の配線孔２４０を通過して接続金具２８０と電気的に接続している。
【００２８】
仮に、蛍光ランプ１１０を設置面２３０に複数連続して設置する場合は、例えば、一方の蛍光ランプ１１０の第２の配線孔２５０と、他方の蛍光ランプ１１０の第１の配線孔２４０とを使用して電気的に接続することができる。その際は、複数のＧＸ５３ソケット対応ランプ用アダプタ９００を並列して接続するための電気配線を、配線溝４００に配置することができる。このように使用することで、空間を効率的に使用しつつ、意匠性も高く、蛍光ランプ１１０を設置面２３０に複数連続して設置できる。
【００２９】
図３、及び、図３の５−５断面図である図５に示されるように、アダプタ本体９１０の下側の縁面端部には、カバー取付け部２６０が形成されている。後述するように、カバー取付け部２６０に、蛍光ランプ１１０の下面を覆うカバーを取付けることができる。なお、図５では、アダプタ本体９１０のみを示し、アダプタ蓋体９２０は図示していない。
【００３０】
図６に示されるように、アダプタ本体９１０の下側面には、４箇所の本体ネジ孔３１１が形成されている。図２及び図６から理解されるように、ネジ１９０は、アダプタ蓋体９２０のネジ入り口孔３１０から挿入され、本体ネジ孔３１１を通過し、そしてネジ出口孔３２０を貫通して、設置面２３０の設置面孔３３０に到達する。
【００３１】
また、アダプタ本体９１０の下側面には、引掛け爪部１７５が４箇所設けられている。引掛け爪部１７５は、図６の７−７断面図である図７に示されるように、鈎爪形状である。
【００３２】
図８は、アダプタ蓋体９２０の上側面を示す図である。アダプタ蓋体９２０には嵌合孔１６９が設けられている。アダプタ本体９１０の下側面に形成された引掛け爪部１７５が、アダプタ蓋体９２０の上側面に形成された嵌合孔１６９に嵌め込まれることで、アダプタ蓋体９２０がアダプタ本体９１０と強固に接合される。
【００３３】
アダプタ蓋体９２０がアダプタ本体９１０に嵌め込まれるから、アダプタ本体９１０の内部へ埃等がはいりにくくなる。
【００３４】
（実施形態３）
本実施形態では、上述の実施形態と異なり、図９に示されるように、カバー取付け部２６０にカバー７９０が取付けられている。
【００３５】
カバー７９０は、カバー取付け部７１０と、支柱７２０と、カバー部７３０と、を有する。
【００３６】
カバー部７３０は、透明若しくは半透明であり、蛍光ランプ１１０の下側面を覆う。
【００３７】
カバー７９０を利用して、蛍光ランプ１１０の照明光の指向性を高めることができ、これにより意匠性高く、かつ、照明の演色性を向上させることができる。また、カバー７９０を利用して、蛍光ランプ１１０の照明光を弱めることができ、これにより照明光を直視したとしても眼球に刺激が少なくなる。
【００３８】
さらに、カバー部７３０には色彩を付すことも可能であり、かかる場合には演色性を一層高めることができる。
【００３９】
（その他の実施形態）
上述の実施形態では、設置面２３０は天井面であった。もっとも、このような実施形態に限定されることはない。蛍光ランプ１１０は、ＧＸ５３ソケット対応ランプ用アダプタ９００を介して、壁面や床面等の設置面２３０にも設置できる。壁面や床面等に設置することにより、室内空間等を照らしながら、演色性を向上させることができる。
【図面の簡単な説明】
【００４０】
【図１】実施形態１に係るＧＸ５３ソケット対応ランプ用アダプタの概略を説明する図である。
【図２】実施形態２に係るＧＸ５３ソケット対応ランプ用アダプタの概略を説明する図であり、ネジで設置面に取りつける図である。
【図３】実施形態２に係るＧＸ５３ソケット対応ランプ用アダプタの平面図であり、設置面側から説明する図である。
【図４】図３の４−４断面における、ＧＸ５３ソケット対応ランプ用アダプタの断面図である。
【図５】図３の５−５断面における、ＧＸ５３ソケット対応ランプ用アダプタの断面図である。
【図６】アダプタ本体の平面図であり、設置面側の反対側から説明する図である。
【図７】図６の７−７断面における、ＧＸ５３ソケット対応ランプ用アダプタの断面図である。
【図８】アダプタ蓋体の平面図であり、設置面側から説明する図である。
【図９】実施形態３に係るＧＸ５３ソケット対応ランプ用アダプタの説明図であり、カバーが取りつけられている図である。
【符号の説明】
【００４１】
１１０    蛍光ランプ
１２０    ＧＸ５３ソケット部
１３０    ランプ部
１４０    凸部
１５０    凹部
１６９    嵌合孔
１７０    係合孔部
１７５    引掛け爪部
１８０    電極部
１９０    ネジ
２２０    電気配線
２３０    設置面
２４０    第１の配線孔
２５０    第２の配線孔
２６０    カバー取付け部
２８０    接続金具
３１０    ネジ入口孔
３１１    本体ネジ孔
３２０    ネジ出口孔
３３０    設置面孔
４００    配線溝
７００    ランプ取付け部
７１０    カバー取付け部
７２０    支柱
７３０    カバー部
７９０    カバー
８００    スペース部
９００    ＧＸ５３ソケット対応ランプ用アダプタ
９１０    アダプタ本体
９２０    アダプタ蓋体
【図１】
0005419125.tif 000002
【図２】
0005419125.tif 000003
【図３】
0005419125.tif 000004
【図４】
0005419125.tif 000005
【図５】
0005419125.tif 000006
【図６】
0005419125.tif 000007
【図７】
0005419125.tif 000008
【図８】
0005419125.tif 000009
【図９】
0005419125.tif 000010